(57)【要約】【課題】多様な建築物に対して容易に適用可能であり、雨水、結露水等の水垂れを容易に防止することが可能な、水垂れ防止構造を提供すること。【解決手段】建築物に設置される水垂れ防止構造であって、立体構造群を有しており、立体構造群は隣り合う立体構造同士の間で画定された溝を有しており、溝は毛細管現象によって水を搬送する、水搬送部、を備える、水垂れ防止構造。【選択図】図１
2017025494.tif 000002
【特許請求の範囲】
【請求項１】
建築物に設置される水垂れ防止構造であって、
立体構造群を有しており、前記立体構造群は隣り合う立体構造同士の間で画定された溝を有しており、前記溝は毛細管現象によって水を搬送する、水搬送部、を備える、水垂れ防止構造。
【請求項２】
前記水搬送部が、一方の主面に前記立体構造群を有し、他方の主面で前記建築物と接着される、水搬送シートにより構成されている、請求項１に記載の水垂れ防止構造。
【請求項３】
前記水搬送部から搬送された水を貯留する貯留部、及び／又は、当該水を排水する排水部、をさらに備える、請求項１又は２に記載の水垂れ防止構造。
【請求項４】
室内側面をなす第一の面を有するガラス窓と、
請求項１〜３のいずれか一項に記載の水垂れ防止構造と、
を備え、
前記水搬送部が、前記ガラス窓の前記第一の面に設けられている、窓部構造。
【請求項５】
前記第一の面が、親水性処理された親水性部を有し、
前記水搬送部が、前記親水性部の鉛直方向下側に設けられている、請求項４に記載の窓部構造。
【請求項６】
雨を受ける上面及び該上面の反対側の下面を有している雨よけ部と、
請求項１〜３のいずれか一項に記載の水垂れ防止構造と、
を備え、
前記水搬送部が、前記雨よけ部の前記下面に設けられている、雨よけ構造。
【請求項７】
太陽光を受ける上面及び該上面の反対側の下面を有している太陽電池アレイと、
請求項１〜３のいずれか一項に記載の水垂れ防止構造と、
を備え、
前記水搬送部が、前記太陽電池アレイの前記下面に設けられている、太陽光発電システム。
【発明の詳細な説明】
【技術分野】
【０００１】
本発明は、水垂れ防止構造、並びにそれを備える窓部構造、雨よけ構造及び太陽光発電システムに関する。
【背景技術】
【０００２】
従来から、建築物においては、人が移動又は生活する空間への雨水、結露水等の垂れを防止することが求められている。また、建築物の屋内側においては、ガラス窓に生じた結露水が、ガラス窓直下に垂れて、壁紙・床面等の劣化・カビ発生等が生じることが問題となっている。
【０００３】
このため、例えば特許文献１には、ガラス窓の板ガラスの室内側及び／又は室外側に所定の厚みを有するスペーサーを介して樹脂パネルを取着して、板ガラスと樹脂パネルとの間に断熱空気層を形成する方法が開示されている。また、特許文献２には、結露防止用ヒータによって、窓ガラス表面を加温し、窓ガラスに接する空気を露点にならないように維持して結露の生成を防止する方法が開示されている。
【先行技術文献】
【特許文献】
【０００４】
【特許文献１】特開２０１１−２５２３２８号公報
【特許文献２】特開２００３−１０６６７７号公報
【発明の概要】
【発明が解決しようとする課題】
【０００５】
近年、建築物の多様化にともなって、様々な構造及び材質の建築物において、歩行空間・生活空間への水垂れを防止することが必要となっている。また、建築物に対して、歩行空間・生活空間における快適性の向上が要求されており、より細部に亘って、水垂れを防止することが求められている。
【０００６】
本発明の目的の一つは、多様な建築物に対して容易に適用可能であり、雨水、結露水等の水垂れを容易に防止することが可能な、水垂れ防止構造を提供することにある。
【課題を解決するための手段】
【０００７】
本発明の一側面は、建築物に設置される水垂れ防止構造であって、立体構造群を有しており、立体構造群は隣り合う立体構造同士の間で画定された溝を有しており、溝は毛細管現象によって水を搬送する、水搬送部、を備える、水垂れ防止構造に関する。
【０００８】
一態様において、水搬送部は、一方の主面に立体構造群を有し、他方の主面で建築物と接着された、水搬送シートにより構成されていてよい。
【０００９】
一態様において、水垂れ防止構造は、水搬送部から搬送された水を貯留する貯留部、及び／又は、当該水を排水する排水部、をさらに備えていてよい。
【００１０】
本発明の他の一側面は、室内側面をなす第一の面を有するガラス窓と、上述の水垂れ防止構造と、を備え、水搬送部がガラス窓の第一の面に設けられている、窓部構造に関する。
【００１１】
一態様において、第一の面は親水性処理された親水性部を有していてよく、水搬送部は、親水性部の鉛直方向下側に設けられていてよい。
【００１２】
本発明の他の一側面は、雨を受ける上面及び該上面の反対側の下面を有している雨よけ部と、上述の水垂れ防止構造と、を備え、水搬送部が雨よけ部の下面に設けられている、雨よけ構造に関する。
【００１３】
本発明の他の一側面は、太陽光を受ける上面及び該上面の反対側の下面を有している太陽電池アレイと、上述の水垂れ防止構造と、を備え、水搬送部が太陽電池アレイの下面に設けられている、太陽光発電システムに関する。
【発明の効果】
【００１４】
本発明によれば、多様な建築物に対して容易に適用可能であり、雨水、結露水等の水垂れを容易に防止することが可能な、水垂れ防止構造が提供される。
【図面の簡単な説明】
【００１５】
【図１】本発明に係る窓部構造の一態様の概略を示す図である。
【図２】図１のＩＩ−ＩＩ線に沿った断面を示す断面図である。
【図３】本発明に係る雨よけ構造の一態様の概略を示す図である。
【図４】図３のＩＶ−ＩＶ線に沿った断面を示す断面図である。
【図５】本発明に係る雨よけ構造の他の一態様の概略を示す図である。
【図６】本発明に係る雨よけ構造の他の一態様の概略を示す断面図である。
【図７】本発明に係る太陽光発電システムの一態様の概略を示す図である。
【図８】図７のＩＸ−ＩＸ線に沿った断面を示す断面図である。
【図９】本発明に係る太陽光発電システムの一態様の概略を示す裏面図である。
【図１０】本発明に係る建築物の一態様の概略を示す図である。
【図１１】図１０のＸＩ−ＸＩ線に沿った断面を示す断面図である。
【図１２】水搬送部の第一の形態を示す模式図である。
【図１３】水搬送部の第二の形態を示す模式図である。
【図１４】水搬送部の第三の形態を示す模式図である。
【図１５】水搬送部の第四の形態を示す模式図である。
【図１６】水搬送部の第五の形態を示す模式図である。
【図１７】水搬送部の第六の形態を示す模式図である。
【図１８】水搬送部の第七の形態を示す模式図である。
【図１９】水搬送部の断面形状を説明するための模式図である。
【図２０】本発明に係る水垂れ防止構造の一態様の概略を示す図である。
【図２１】本発明に係る水垂れ防止構造の他の態様の概略を示す図である。
【図２２】本発明に係る水垂れ防止構造の他の態様の概略を示す図である。
【発明を実施するための形態】
【００１６】
以下、図面を参照しつつ、本発明の好適な実施形態について説明する。なお、図面の説明において同一要素には同一符号を付し、重複する説明を省略する。また、図面は理解を容易にするため一部を誇張して描いており、寸法比率等は図面に記載のものに限定されるものではない。
【００１７】
一実施形態に係る水垂れ防止構造は、建築物における水垂れを防止する目的で、建築物中の一構成要素の一面上に設けられる構造である。水垂れ防止構造は水搬送部を備え、水搬送部は立体構造群を有しており、立体構造群は隣り合う立体構造同士の間で画定された溝を有している。当該溝は、水搬送部上に付着した水を、毛細管現象によって少なくとも一方向に搬送可能な溝である。
【００１８】
上記の水垂れ防止構造では、水搬送部上に付着した水が立体構造間の溝に沿って搬送されて拡がるため、水搬送部の設置面において、付着した水が水滴として垂れ落ちることが十分に防止される。
【００１９】
本実施形態において、立体構造群とは、任意の三次元形状を有する立体構造の２以上の集合をいう。三次元形状としては、例えば、直方体、立方体、錐体、錐台、半球、部分球、及び柱状体、並びにこれらの組合せが挙げられる。隣り合う立体構造は、接していてもよく、又は所定の間隔を空けて離れていてもよい。
【００２０】
溝は、隣り合う立体構造同士の間で画定される。溝の形状及び寸法は、毛細管現象の原理を利用して水を搬送することができれば、任意の形状及び寸法であってよい。毛細管現象とは、一般に、狭い空間内にある液体に、液体の密度、表面張力、及び壁面との接触角等に基づいて、液体がその空間内を移動する駆動力（毛細管力）が働く現象である。立体構造同士の間で画定される溝内では、空気と溝の壁面との界面エネルギーよりも、液体と溝の壁面との界面エネルギーが低いことにより、液体が溝内を移動する駆動力が発生することとなる。当業者であれば、水に対して所望の大きさの駆動力が働くよう、溝の形状及び寸法を設計することができる。
【００２１】
図１９を参照しながら、便宜上、溝の形状を断面形状と正面形状とに分けて説明する。図１９は、水搬送部の断面形状を説明するためのものであって、溝の断面形状を限定するものではない。本実施形態において、平面を立体構造群と対向させて接するよう配置したときに、その平面と平行な平面を、参照平面Ｌ１という。本開示において、溝の断面形状とは、参照平面Ｌ１に垂直かつ水の搬送方向に垂直な溝の断面において、参照平面Ｌ１に平行な直線Ｌ２を想定した場合に、この直線Ｌ２と立体構造の断面とで囲むことができる形状のうち、最大の形状をいう。溝の断面形状は、溝の全体にわたって同一でもよく、又は異なってもよい。以下、便宜上、溝の断面形状のうち直線Ｌ２で構成される部分を溝の開口部６５ａといい、開口部６５ａから参照平面Ｌ１の垂線方向に最も離れた部分を溝の最深部６５ｂという。また、溝の開口部と最深部との距離を溝の深さ６５ｄといい、溝の断面形状の幅の最大値を溝の最大幅６５ｗという。本開示において、溝の正面形状とは、参照平面Ｌ１に垂直な方向から見たときの溝の形状をいう。
【００２２】
溝の断面形状は、毛細管現象によって水を搬送することができれば限定されない。溝の断面形状としては、開口部を一辺とする多角形、例えば三角形、四角形、及び台形；開口部と任意の曲線とで囲むことができる形状、例えば、半円形、弓形、及び楔形；並びにこれらの組合せが挙げられる。
【００２３】
溝の深さの上限は、例えば、約３０００μｍ以下、約２５００μｍ以下、約２０００μｍ以下、約１５００μｍ以下、約１０００μｍ以下、又は約８００μｍ以下であってよく、下限は、例えば、約１μｍ以上、約５μｍ以上、約１０μｍ以上、約３０μｍ以上、約５０μｍ以上、又は約１００μｍ以上であってよい。
【００２４】
溝の最大幅の上限は、例えば、約３０００μｍ以下、約２５００μｍ以下、約２０００μｍ以下、約１５００μｍ以下、約１０００μｍ以下、又は約８００μｍ以下であってよく、下限は、例えば、約１μｍ以上、約５μｍ以上、約１０μｍ以上、約３０μｍ以上、約５０μｍ以上、又は約１００μｍ以上であってよい。溝の幅は、例えば、開口部において最大幅となり、かつ最深部において最小幅となるように設計することができる。
【００２５】
溝の正面形状は、毛細管現象によって水を搬送することができれば限定されない。溝の正面形状としては、例えば、直線状、曲線状、波線状、折れ線状、及び環状、並びにこれらの組合せが挙げられる。
【００２６】
溝は一方向に長尺であってもよい。本開示において、溝が一方向に長尺であるとは、溝が毛細管現象によって水をある方向に向かって所望の距離搬送できるよう、溝がその方向に十分な長さを有していることをいう。本開示において、溝の長さとは、溝の正面形状にかかわらず、連通した一つの溝の中で最も離れた二点間の距離をいう。溝の長さの下限は、例えば、約３ｍｍ以上、約５ｍｍ以上、約１０ｍｍ以上、又は約１００ｍｍ以上であってよく、上限は、例えば、シートの長さ以下、約１０ｍ以下、約５ｍ以下、約２ｍ以下、又は約１ｍ以下とすることができる。
【００２７】
溝は立体構造の配置により任意に配置することができ、例えば、略平行、放射状、若しくはランダム、又はこれらを組み合わせて配置することができる。溝のピッチ、すなわち、隣り合う溝同士の開口部の中点間の距離は、任意に設定することができる。溝のピッチの上限は、例えば、約３０００μｍ以下、約２５００μｍ以下、約２０００μｍ以下、約１５００μｍ以下、約１０００μｍ以下、又は約８００μｍ以下であってよく、下限は、例えば、約１μｍ以上、約５μｍ以上、約１０μｍ以上、約３０μｍ以上、約５０μｍ以上、又は約１００μｍ以上であってよい。
【００２８】
溝は、それぞれ独立していてもよく、又は一部で連通して一体となっていてもよい。連通としては、例えば交差、分岐（併合）、又は架橋等が挙げられる。
【００２９】
図１２は、水搬送部の第一の形態を示す模式図である。水搬送部６０は、第一の面６１上に、断面が略台形の複数の第一の立体構造６２からなる第一の立体構造群を有しており、隣り合う第一の立体構造６２同士の間で画定される第一の溝６３を有する。また、水搬送部６０は、それぞれの第一の溝６３内に、断面が略台形の複数の第二の立体構造６４からなる第二の立体構造群を有しており、隣り合う第一の立体構造６２と第二の立体構造６４との間、及び隣り合う第二の立体構造６４同士の間で画定される第二の溝６５を有する。第一及び第二の溝の断面形状は、長辺を開口部とする略台形である。第一の溝６３は、水搬送部６０上に付着した水滴が流れ落ちないよう、水を保持する役割を担うことができ、これに加えて、毛細管現象によって水を搬送することができてもよい。第二の溝６５は、第一の溝６３よりも断面形状が小さく、主に毛細管現象によって水を搬送する役割を担うことができる。第一及び第二の溝の正面形状は直線状であり、溝は略並行に配置されている。以下、便宜上、このような溝の形状を「溝形状Ａ」という。
【００３０】
図１３は、水搬送部の第二の形態を示す模式図である。水搬送部６０は、その第一の面６１上に、断面が略台形の複数の立体構造６２からなる立体構造群を有しており、隣り合う立体構造６２同士の間で画定される溝６３を有する。溝６３の断面形状は、長辺を開口部とする略台形である。溝６３の正面形状は直線状であり、複数の溝６３は互いに略並行に配置されている。
【００３１】
図１４は、水搬送部の第三の形態を示す模式図である。水搬送部６０は、第一の面６１上に、略直方体の複数の立体構造６２からなる立体構造群を有しており、隣り合う立体構造６２同士の間で画定される溝６３を有する。溝６３の断面形状は略長方形である。溝６３の正面形状は直線状であり、第一組の略並行に配置された溝と、第二組の略並行に配置された溝とが略垂直に互いに交差して網目状に配置されている。
【００３２】
図１５は、水搬送部の第四の形態を示す模式図である。水搬送部６０は、第一の面６１上に、複数の略三角柱状の立体構造６２からなる立体構造群を有しており、隣り合う立体構造６２同士の間で画定される溝６３を有する。溝６３の断面形状は略長方形である。溝６３の正面形状は直線状であり、第一組の略平行に配置された溝と、第二組の略平行に配置された溝と、第三組の略平行に配置された溝とが所定角度で互いに交差して網目状に配置されている。溝の交点では、三本の溝：第一組に属する溝と、第二組に属する溝と、第三組に属する溝とが交差している。
【００３３】
図１６は、水搬送部の第五の形態を示す模式図である。水搬送部６０は、第一の面６１上に、略平行四辺形を底面とする柱状体の、複数の立体構造６２からなる立体構造群を有しており、隣り合う立体構造６２同士の間で画定される溝６３を有する。溝６３の断面形状は略長方形である。溝６３の正面形状は直線状であり、第一組の略並行に配置された溝と、第二組の略並行に配置された溝とが所定角度で互いに交差して網目状に配置されている。
【００３４】
図１７は、水搬送部の第六の形態を示す模式図である。水搬送部６０は、第一の面６１上に、図１２で説明したような溝形状Ａを有している。溝６３及び６５は、溝６３及び６５に対して略垂直方向に延在する連通溝６８によって連通している。連通溝６８は、隣りあう溝６３同士、及び隣り合う溝６５同士の間を水が移動することを助けることができる。
【００３５】
図１８は、水搬送部の第七の形態を示す模式図である。水搬送部６０は、その第一の面６１上に、断面が略台形の複数の立体構造６２からなる立体構造群を有しており、隣り合う立体構造６２同士の間で画定される溝６３を有する。溝６３の断面形状は、長辺を開口部とする略台形である。溝６３の正面形状は直線状であり、複数の溝６３は互いに略並行に配置されている。溝６３は、溝６３に対して略垂直方向に延在する連通溝６８によって連通している。連通溝６８は、隣りあう溝６３同士の間を水が移動することを助けることができる。
【００３６】
水搬送部の第一の面は、親水性であってもよい。第一の面が親水性である場合、水に作用する毛細管力が増大し、より効果的に水を搬送することができる。本開示において、「水搬送部の第一の面が親水性である」とは、水搬送部と同一の材料を使用して、溝を有しない略平面状の第一の面を作ったときに、当該第一の面と水の液面との接触角が９０°未満であることをいう。この接触角の上限は、例えば、８０°未満、７０°未満、６０°未満、５０°未満、４０°未満、３０°未満、２０°未満、又は１５°未満とすることができる。
【００３７】
本開示において、縦１２ｍｍ、横１６ｃｍに切り取った水搬送部の第一の面上を０．４ｍＬの水が一分間で搬送される距離（ｃｍ）を「水搬送距離」という。水搬送距離は、主に溝の構造と第一面の親水性の程度とに依存し、第一の面が親水性である場合、水搬送距離が増大する傾向にある。より詳細には、水搬送距離は以下の水搬送距離試験によって測定することができる：水道水５０ｇに、株式会社パイロットコーポレーション（東京都中央区）から入手可能な水性インクであるパイロットインク（登録商標）／レッドを０．２ｇ添加して、試験溶液を作製する。縦１２ｍｍ、横１６ｃｍの水搬送部の試験片を準備する。ただし、水搬送部の液体搬送能に異方性がある場合は、液体搬送能が横方向に最大となるようにカットする。試験片の一端から１ｃｍの位置に油性ペンで標線を引き、第一の面を上にして試験片を水平な場所に置く。０．４ｍＬの試験溶液を、テルモ株式会社（東京都渋谷区）から入手可能なシリンジであるテルモシリンジ（登録商標）１ｍＬ（中口）を用いて測り取り、標線上に滴下する。滴下から１分経過後に、標線から試験溶液が移動した末端までの距離を測定し、水搬送距離とする。本開示において、水搬送距離の距離は、例えば、５ｃｍ以上、１０ｃｍ以上、又は１５ｃｍ以上であることが好ましい。
【００３８】
本実施形態において、水搬送部は、一方の主面に立体構造群を有し、他方の主面で建築物と接着される、水搬送シートにより構成されていてよい。このような水搬送部は、多様な建築物に対して容易に設置することができる。なお、水搬送部はこれに限定されず、例えば、建築物を構成する構成要素の表面の一部分を加工して形成されたものであってよい。
【００３９】
図１９は、水搬送シートにより構成される水搬送部の断面形状を説明するための模式図である。図１９の水搬送シート６０は、第一の面６１に図１２で説明したような溝形状Ａをなす立体構造群を有しており、第二の面６６上に、建築物と接着するための接着剤層６９が積層されている。
【００４０】
水搬送シートは、第二の面６６と接着剤層６９との間に基材が配置されていてもよい。基材としては、耐候性部材、断熱材、放熱材、発熱体、湿潤材、遮光材、及び防塵材、並びにこれらの組合せが挙げられる。一実施形態において、水搬送性シート自体の厚みを厚くして、例えば耐候性、断熱性、遮光性等を付与してもよい。
【００４１】
水搬送シートの材料は、限定されないが、加工性の観点から、例えば、樹脂材料を使用することができる。樹脂材料としては、例えば、ポリオレフィン樹脂、及びポリオキシエチレン鎖を有するポリマーが挙げられる。ポリオレフィン樹脂、及びポリオキシエチレン鎖を有するポリマーとしては、特開２００７―２７７４７４号公報に記載されている材料を使用することができる。
【００４２】
樹脂材料としては、限定されないが、親水性の観点から、親水性樹脂材料、親水性フィラーを含有する樹脂材料、及びこれらの組合せが挙げられる。親水性樹脂材料としては、例えば、分子末端に−ＳＯ３Ｈ、−ＳＯ３Ｍ、−ＯＳＯ３Ｍ、−ＣＯＯＭ、−ＮＲ３Ｘ、−ＣＯＯＨ、−ＮＨ２、−ＣＮ、−ＯＨ、及びこれらの組合せから選択される少なくとも１つの親水基を有する樹脂材料が挙げられ、式中、Ｒはアルキル基、Ｍはアルカリ金属又は−ＮＨ４、Ｘはハロゲンである。親水性フィラーとしては、限定されないが、帯電防止剤、例えば多価アルコール脂肪酸エステル、アルキルジエタノールアミン、及びアルキルジエタノールアミド；界面活性剤、例えばアルカンスルホネート；酸化物、例えばシリカ、アルミナ、酸化スズ、酸化アンチモン、及び酸化インジウム；複合酸化物、例えばスズ−アンチモン複合酸化物、及びインジウム−スズ複合酸化物；並びにこれらの組合せが挙げられる。
【００４３】
水搬送シートの製造方法は、上記の溝を形成することができれば限定されない。溝を形成する方法としては、例えば、プレス成形、エンボス加工、注型、エッチング、及びレーザー加工等が挙げられる。具体的には、例えば、特開２００７―２７７４７４号公報に記載されている製造方法を使用することができる。
【００４４】
水搬送シートの第一の面は親水性加工されていてもよい。本開示において、「親水性加工」とは、水搬送性シートの第一の面の親水性を高めることができる表面加工をいう。親水性加工としては、例えば、親水性材料による表面コーティング；表面処理、例えばブラスト処理、フレーム（火焔）処理、及びオゾン処理；並びにこれらの組合せが挙げられる。親水性材料としては、親水性樹脂材料、親水性フィラーを含有する樹脂材料、及びこれらの組合せが挙げられる。親水性樹脂材料としては、例えば、分子末端に−ＳＯ３Ｈ、−ＳＯ３Ｍ、−ＯＳＯ３Ｍ、−ＣＯＯＭ、−ＮＲ３Ｘ、−ＣＯＯＨ、−ＮＨ２、−ＣＮ、−ＯＨ、及びこれらの組合せから選択される少なくとも１つの親水基を有する樹脂材料が挙げられ、式中、Ｒはアルキル基、Ｍはアルカリ金属又は−ＮＨ４、Ｘはハロゲンである。親水性フィラーとしては、限定されないが、帯電防止剤、例えば多価アルコール脂肪酸エステル、アルキルジエタノールアミン、及びアルキルジエタノールアミド；界面活性剤、例えばアルカンスルホネート；酸化物、例えばシリカ、アルミナ、酸化スズ、酸化アンチモン、及び酸化インジウム；複合酸化物、例えばスズ−アンチモン複合酸化物、及びインジウム−スズ複合酸化物；並びにこれらの組合せが挙げられる。
【００４５】
また、本実施形態における水搬送部は、例えば、一方の主面に立体構造群を有し、他方の主面で建築物と結合される無機材料層により構成されていてよい。このような水搬送部としては、例えば、一方の主面に立体構造群を有したセラミック構造体を、建築物のガラス面等に焼付け接着して形成されたものが挙げられる。また、本実施形態における水搬送部は、建築物の一面（例えばガラス面）を加工して形成された立体構造群を有するものであってよい。
【００４６】
以下に、図面を参照しつつ、本実施形態に係る水垂れ防止構造が設置された建築物（及びその部分構造）の好適な態様について詳述する。
【００４７】
図１は、本発明に係る窓部構造の一態様の概略を示す図である。図２は、図１のＩＩ−ＩＩ線に沿った断面を示す断面図である。図１の窓部構造１００は、建築物の壁８にサッシ７を介して取り付けられたガラス窓１と、ガラス窓１の室内側の面１ａ（第一の面１ａ）の鉛直方向下側に設けられた水垂れ防止構造１０と、を備えている。水垂れ防止構造は、水搬送部２と、水搬送部２から搬送された水を貯留する貯留部３とを備えている。水搬送部２は、立体構造群を有しており、立体構造群は隣り合う立体構造同士の間で画定された溝を有している。水搬送部２における溝は、水搬送部２上に付着した水を、毛細管現象によって水平方向に搬送する。窓部構造１００において、水搬送部２は、一方の主面に立体構造群を有し、他方の主面でガラス窓１の第一の面１ａと接着する水搬送シート４により構成されている。また、窓部構造１００において、貯留部３は、所定量の水を吸水可能な吸水シート５により構成されている。
【００４８】
窓部構造１００において、ガラス窓１は、室外側面１ｂ（第二の面１ｂ）と室内側面１ａ（第一の面１ａ）とを有しており、少なくとも第一の面１ａにおいて結露を生じ得るガラス窓であってよい。具体的には、室外側（典型的には、屋外側）の気温が室内側の気温より低い場合に、第一の面１ａの温度が室内温度より低くなることで、室内の水蒸気が第一の面１ａで凝集し、結露する。第一の面１ａに生じた結露水は、第一の面１ａ上で鉛直方向下側に垂れていくが、水搬送部２に到達した後は、水搬送部２における溝に沿って水平方向に搬送される。搬送された結露水は、貯留部３において貯留され、必要に応じて吸水シート５の除去等の方法で排水される。
【００４９】
窓部構造１００において、ガラス窓１の第一の面１ａの少なくとも一部は親水性処理された親水性部であってよい。親水性処理は、ガラス窓１の親水性加工であってよく、ガラス窓１への親水性フィルムの貼付であってよい。親水性部は、例えば、対水接触角が４０°以下、３０°以下、２０°以下、１５°以下、１０°以下、７°以下、又は５°以下であってよい。本明細書中、対水接触角は、ＪＩＳ  Ｒ  ３２５７：１９９９に記載の静滴法に準拠して測定される値を示す。
【００５０】
親水性フィルムは、例えば、親水性面を有する親水性基材と、該親水性基材の親水性面と反対側の面に設けられた接着剤層と、を備えるものであってよい。親水性基材としては、例えば、ポリビニルアルコール、ポリシラザン、ポリヒドロキシエチルメタクリレート等の親水性樹脂を含む基材が挙げられる。また、親水性基材は、親水性面をなす親水性層からなる単層構造であってよく、該親水性層以外の他の層をさらに含む多層構造であってもよい。親水性基材の厚さは特に制限されないが、例えば１０ｎｍ〜１００ｎｍであってよく、２０ｎｍ〜５０ｎｍであってもよい。接着剤層は、親水性基材とガラス板とを接着可能な接着剤からなる層であればよい。接着剤層を構成する接着剤としては、例えば、アクリル系接着剤、シリコン系接着剤、ウレタン系接着剤等が挙げられる。接着剤層の厚さは特に制限されないが、例えば０．１μｍ〜１００μｍであってよく、１０〜３０μｍであってもよい。
【００５１】
親水性フィルムは、室内外の環境変化によっても親水性が維持されるものであることが好ましい。また、親水性フィルムは、繰り返しの結露によっても親水性が維持されるものであることが好ましい。さらに、親水性フィルムは、長期間の加温によっても親水性が維持されるものであることが好ましい。これらの耐久性に優れる親水性フィルムによれば、上述の効果を長期間維持することができる。親水性フィルムの耐久性は、例えば、下記の加熱試験、耐湿試験、加熱サイクル試験、温水試験によって確認することができる。すなわち、本実施形態において、ガラス窓に適用する親水性フィルムは、下記の加熱試験、耐湿試験、加熱サイクル試験、及び／又は、温水試験で評価して選別してもよい。
【００５２】
親水性フィルムとしては、６５℃で１週間保持する加熱試験後においても、親水性面が所期の親水性を有するものが好ましい。より具体的には、親水性フィルムは、温度６５℃、湿度５％の環境下で１週間（１６８時間）保持した後の親水性面の対水接触角が、所期の値以下であることが好ましい。
【００５３】
親水性フィルムとしては、温度４０℃、湿度９５％の環境下で１週間（１６８時間）保持する耐湿試験後においても、親水性面が所期の親水性を有するものが好ましい。より具体的には、親水性フィルムは、温度４０℃、湿度９５％の環境下で１週間（１６８時間）保持した後の親水性面の対水接触角が、所期の値以下であることが好ましい。
【００５４】
親水性フィルムとしては、−３０℃〜８０℃の加熱サイクル試験（昇温速度３．７℃／分で昇温し、８０℃で９３０分維持し、降温速度３．７℃／分で降温し、−３０℃で４５０分維持する加熱サイクルを７回繰り返す試験）後においても、親水性面が所期の親水性を有するものが好ましい。より具体的には、親水性フィルムは、上記加熱サイクル試験後の親水性面の対水接触角が、所期の値以下であることが好ましい。
【００５５】
親水性フィルムとしては、４０℃の温水中に１週間保持する温水試験後においても、親水性面が所期の親水性を有するものが好ましい。より具体的には、親水性フィルムは、４０℃の温水中に１週間（１６８時間）保持した後の親水性面の対水接触角が、所期の値以下であることが好ましい。
【００５６】
親水性フィルムとしては、例えば、スリーエムジャパン社製の商品名「３ＭＴＭ  スコッチティントＴＭ  親水性フィルム  ＳＨ２ＣＬＨＦ」等を好適に用いることができる。
【００５７】
ガラス窓の結露は、窓外環境の視認性を確保するため、また、ガラス窓直下に水滴が落ちることによる壁紙・床面等の劣化・カビ発生等の抑制のため、解決すべき大きな課題である。また、近年、住宅の更なる高気密化によって、室内壁面、家具背面、クローゼット内等、室内の様々な箇所で結露が生じ易くなっている。特に調理時などの急激な湿度変化が生じる状況における室内結露の発生は、大きな課題となっている。特に、特許文献１及び２に記載されるような、結露自体を防止する方法を採用した場合は、ガラス窓での結露が防止されても、ガラス窓以外の室内結露が促進されてしまうおそれがある。
【００５８】
窓部構造１００では、第一の面１ａ上に生じた結露水を、水搬送部２における溝に沿って移送させることで、結露水のガラス窓直下への垂れが防止される。このため、窓部構造１００によれば、窓部構造１００周辺（特にガラス窓１の直下）において、結露水による壁紙の劣化、カビの発生等が抑制される。また、窓部構造１００では、特許文献１及び２に記載の結露自体を防止する方法とは異なり、ガラス窓１の第一の面１ａ上で結露が生じ得る。このため、室内の湿度が上昇したときでも、第一の面１ａ上で優先して結露が生じ、窓部以外での室内結露が抑制される。
【００５９】
また、窓部構造１００では、吸水シート５からなる貯留部３が、水搬送部２の水平方向両側に設けられているため、第一の面１ａで生じた結露水はこの貯留部３に貯留される。貯留された結露水は、吸水シート５の剥離によって容易に除去される。窓部構造１００では、ガラス窓１の両側に設けられた吸水シート５の剥離及び再貼付が可能であれば、継続して結露水の垂れを防止できる。すなわち、ガラス窓１の正面に移動困難な家具等が設置された場合でも、吸水シート５の剥離及び再貼付が可能なように両端に僅かに隙間があれば、水垂れを継続して防止できる。
【００６０】
また、窓部構造１００において、ガラス窓１の第一の面１ａが親水性部を有すると、第一の面１ａに生じた結露水が水滴状にならず、親水性部上で濡れ拡がる。このため、結露水が水滴状に付着した場合と比較して、窓外環境の視認性が良好になる。また、水滴が勢いよく垂れ落ちて、水搬送部２を越えてガラス窓１直下に至ることを避けることができ、より効率的に結露水の垂れが防止される。
【００６１】
図３は、本発明に係る雨よけ構造の一態様の概略を示す図である。図４は、図３のＩＶ−ＩＶ線に沿った断面を示す断面図である。図３の雨よけ構造１１０は、雨を受ける上面１１ｂ及びその反対側の下面１１ａを有している雨よけ部１１と、雨よけ部１１の下面１１ａに設けられた水搬送部１２と、水搬送部１２から搬送された水を排水する排水部１３とを備えている。水搬送部１２は、立体構造群を有しており、立体構造群は隣り合う立体構造同士の間で画定された溝を有している。水搬送部１２における溝は、水搬送部１２に付着した水を毛細管現象により溝内に拡げる役割を担うことができる。雨よけ構造１１０において、水搬送部１２は、一方の主面に立体構造群を有し、他方の主面で雨よけ部１１の下面１１ａと接着する水搬送シート１４により構成されている。
【００６２】
雨よけ構造１１０では、雨よけ部１１の上面１１ｂで雨を受けることで、雨よけ部１１直下の空間への雨が避けられる。従来の雨よけ構造では、雨よけ部１１の下面１１ａに付着した雨水又は結露水が凝集して水滴となり、雨よけ部１１直下の空間に垂れ落ちる場合がある。これに対して、雨よけ構造１１０では、雨よけ部１１の下面１１ａに水搬送部１２が設けられている。水搬送部１２に付着した雨水又は結露水は、毛細管現象によって水搬送部１２の溝内に拡がり、水滴状に凝集することが抑制される。このため、雨よけ構造１１０では、雨よけ部１１直下に水滴が垂れることを十分に防止することができる。
【００６３】
雨よけ構造１１０では、雨よけ部１１が水平方向に対して所定の角度を付けて設置されているため、水搬送部１２の溝内に拡がった水は、水搬送部１２内で徐々に鉛直方向下側に流れ、水搬送部１２の端部で排水部１３によって回収・排水される。
【００６４】
なお、図３において、雨よけ構造１１０は駐車場に設置される雨よけ構造として記載したが、雨よけ構造１１０の用途はこれに限定されるものではない。
【００６５】
図５は、本発明に係る雨よけ構造の他の態様の概略を示す図である。雨よけ構造１２０は、駅のホーム等に設置される雨よけ構造であって、雨を受ける上面２１ｂ及びその反対側の下面２１ａを有する雨よけ部２１と、雨よけ部２１の下面１１ａに設けられた水搬送部２２と、水搬送部２２から搬送された水を排水する排水部２３とを備えている。水搬送部２２は、立体構造群を有しており、立体構造群は隣り合う立体構造同士の間で画定された溝を有している。水搬送部２２における溝は、水搬送部２２に付着した水を毛細管現象により溝内に拡げる役割を担うことができる。水搬送部２２は、一方の主面に立体構造群を有し、他方の主面で雨よけ部２１の下面２１ａと接着する水搬送シート２４により構成されている。
【００６６】
雨よけ構造１２０では、雨よけ部２１の下面２１ａに水搬送部２２が設けられており、水搬送部２２に付着した雨水又は結露水は、毛細管現象によって水搬送部２２の溝内に拡がり、水滴状に凝集することが抑制される。このため、雨よけ構造１２０では、雨よけ部２１直下に水滴が垂れることが十分に防止される。
【００６７】
雨よけ構造１１０及び雨よけ構造１２０において、雨よけ部の下面は凹凸を有していてよく、水搬送部は当該凹凸に沿って形成されていてよい。図６は、本発明に係る雨よけ構造の他の態様の概略を示す断面図である。図６の雨よけ構造１３０は、雨を受ける上面３１ｂ及びその反対側の下面３１ａを有する雨よけ部３１と、雨よけ部３１の下面３１ａに設けられた水搬送部３２とを備えている。雨よけ部３１は、上面３１ｂ及び下面３１ａがエンボス加工による凹凸形状をなしており、水搬送部３２は、雨よけ部３１の下面３１ａの凹凸に沿って形成されている。水搬送部３２は、一方の主面に立体構造群を有し、他方の主面で雨よけ部３１の下面３１ａと接着する水搬送シート３４により構成されている。
【００６８】
図７は、本発明に係る太陽光発電システムの一態様の概略を示す図である。図８は、図７のＩＸ−ＩＸ線に沿った断面を示す断面図である。図９は、本発明に係る太陽光発電システムの一態様の概略を示す裏面図である。
【００６９】
図７に示すように、太陽光発電システム１４０は、建築物２００の屋根４９上に設置されており、太陽光を受ける上面４１ｂ及びその反対側の下面４１ａを有している太陽電池アレイ４１と、太陽電池アレイ４１から建築物２００内に引き出される配線部４８と、太陽電池アレイ４１の下面４１ａに設置された水搬送部４２とを備えている。水搬送部４２は、立体構造群を有しており、立体構造群は隣り合う立体構造同士の間で画定された溝を有している。水搬送部４２の溝は、水搬送部４２に付着した水を毛細管現象により水平方向に搬送する。水搬送部４２は、一方の主面に立体構造群を有し、他方の主面で太陽電池アレイ４１の下面４１ａと接着する水搬送シート４４により構成されている。
【００７０】
太陽光発電システム１４０では、水搬送部４３の溝により、水搬送部４３に付着した水が水平方向に搬送されるため、太陽電池アレイ４１の下面４１ａにおいて、鉛直方向上側から、配線部４８が引き出される引出し部４７への水垂れが防止される。
【００７１】
図１０は、本発明に係る建築物の一態様の概略を示す図である。図１１は、図１０のＸＩ−ＸＩ線に沿った断面を示す断面図である。図１０の建築物３００は、ベランダ部５１と、ベランダ部５１の下面５１ａに設置された水搬送部５２と、水搬送部５２から搬送された水を排水する排水部５３とを備えている。水搬送部５２は、立体構造群を有しており、立体構造群は隣り合う立体構造同士の間で画定された溝を有している。水搬送部５２の溝は、水搬送部５２に付着した水を、ベランダ部５１の下面５１ａの壁面５８と接しない端部へと搬送する役割を担うことができる。端部に搬送された水は、排水部５３により回収・排水される。水搬送部５２は、一方の主面に立体構造群を有し、他方の主面でベランダ部５１の下面５１ａと接着する水搬送シート５４により構成されている。
【００７２】
建築物３００では、ベランダ部５１の下面５１ａに水搬送部５２が設けられているため、ベランダ部５１の下面５１ａからの階下への水垂れが防止される。また、水搬送部５２によって搬送された水は排水部５３により回収・排水されるため、水搬送部５２の端部における水垂れも防止される。
【００７３】
以上、本発明の好適な実施形態について説明したが、本発明は上記実施形態に限定されるものではない。
【００７４】
例えば、本発明に係る水垂れ防止構造は、水搬送部と、水搬送部から搬送された水を貯留する貯留部及び／又は当該水を排水する排水部と、を備えるものであってよい。図２０は、本発明に係る水垂れ防止構造の一態様の概略を示す図である。図２０の水垂れ防止構造７０は、水搬送シート７４により構成される水搬送部７２と、吸水シート７５により構成される貯留部７３とを備えるものである。水垂れ防止構造７０では、水搬送部７２により搬送された水が貯留部７３で貯留されるため、水搬送部７２及び貯留部７３の直下への水垂れが防止される。吸水シート７５は着脱可能に設けられており、所定量の水を吸水した時点で剥離され、新たな吸水シートを交換されてよい。
【００７５】
図２１は、本発明に係る水垂れ防止構造の他の態様の概略を示す図である。図２１の水垂れ防止構造８０は、水搬送シート８４により構成される水搬送部８２と、水搬送シート８４と他の部材とで画定される溝を含む排水部８３とを備えている。水垂れ防止構造８０では、水搬送部８２から搬送された水が排水部８３に流れこみ、水搬送部８２直下への水垂れが防止される。
【００７６】
図２２は、本発明に係る水垂れ防止構造の他の態様の概略を示す図である。図２２の水垂れ防止構造９０は、水平方向に対して所定の角度を持って設置され、その一端側に水を搬送する水搬送部９２と、水搬送部９２の端部から垂れ落ちた水滴を受ける排水部９３と、を備えている。水垂れ防止構造９０では、水搬送部９２によって一端側に水が搬送されるため、当該一端側以外での水垂れが防止される。また、一端側に水を受ける排水部９３を設けることで、水搬送部９２上に付着した水を効率よく回収・排水することができる。
【符号の説明】
【００７７】
１００…窓部構造、１１０，１２０，１３０…雨よけ構造、１４０…太陽光発電システム、２００，３００…建築物、７０，８０，９０…水垂れ防止構造、２，１２，３２，４２，５２，７２，８２，９２…水搬送部。
【図１】
2017025494.tif 000003
【図２】
2017025494.tif 000004
【図３】
2017025494.tif 000005
【図４】
2017025494.tif 000006
【図５】
2017025494.tif 000007
【図６】
2017025494.tif 000008
【図７】
2017025494.tif 000009
【図８】
2017025494.tif 000010
【図９】
2017025494.tif 000011
【図１０】
2017025494.tif 000012
【図１１】
2017025494.tif 000013
【図１２】
2017025494.tif 000014
【図１３】
2017025494.tif 000015
【図１４】
2017025494.tif 000016
【図１５】
2017025494.tif 000017
【図１６】
2017025494.tif 000018
【図１７】
2017025494.tif 000019
【図１８】
2017025494.tif 000020
【図１９】
2017025494.tif 000021
【図２０】
2017025494.tif 000022
【図２１】
2017025494.tif 000023
【図２２】
2017025494.tif 000024